(57)【要約】【課題】フラット液晶ディスプレイに付着されている保護フィルムの傷、ゴミ、または、液晶ディスプレイの表面の傷、ゴミを検出する場合、フラット液晶ディスプレイの全体の検査時間が長くなることがなく、また、検査設備が大掛かりではなく、検査コストが高くならないようにする。【解決手段】直交用偏光フィルタをＣＣＤカメラのレンズ前方にセットするとともに平行用偏光フィルタをＣＣＤカメラのレンズ前方から退避させることによって、液晶ディスプレイに付着している保護フィルムの表面における傷、ゴミ、または、フラット液晶ディスプレイの表面における傷、ゴミを検出し、一方、直交用偏光フィルタをＣＣＤカメラのレンズ前方から退避させるとともに平行用偏光フィルタをＣＣＤカメラのレンズ前方にセットすることによって、フラット液晶ディスプレイにおける表示素子自体の欠陥を検出する。【選択図】  図１
2004239674.tif 000002
【特許請求の範囲】
【請求項１】
バックライトで照射され、フラット液晶ディスプレイを通過した表示光を阻止し、上記表示光以外の光を通過させる直交用偏光フィルタと；
上記表示光を通過させ、上記表示光以外の光を阻止する平行用偏光フィルタと；
上記直交用偏光フィルタをＣＣＤカメラのレンズ前方にセットするとともに上記平行用偏光フィルタを上記ＣＣＤカメラのレンズ前方から退避させる傷、ゴミ検出モードと、上記直交用偏光フィルタを上記ＣＣＤカメラのレンズ前方から退避させるとともに上記平行用偏光フィルタを上記ＣＣＤカメラのレンズ前方にセットする表示素子欠陥検出モードとのうちで、一方の検出モードを設定するモード設定手段と；
上記モード設定手段が上記傷、ゴミ検出モードを設定しているときに、上記ＣＣＤカメラから出力された信号に基づいて、上記液晶ディスプレイに付着している保護フィルムの表面における傷、ゴミ、または、上記フラット液晶ディスプレイの表面における傷、ゴミを検出する傷、ゴミ検出手段と；
上記モード設定手段が上記表示素子欠陥検出モードを設定しているときに、上記ＣＣＤカメラから出力された信号に基づいて、上記フラット液晶ディスプレイにおける表示素子自体の欠陥を検出する表示素子欠陥検出手段と；
を有することを特徴とするフラット液晶ディスプレイにおける表示素子の検査装置。
【請求項２】
バックライトで照射され、フラット液晶ディスプレイを通過した表示光を阻止し、上記表示光以外の光を通過させる直交用偏光フィルタと、上記表示光を通過させ、上記表示光以外の光を阻止する平行用偏光フィルタとを用いることによって、フラット液晶ディスプレイにおける表示素子を検査する方法であって、
上記直交用偏光フィルタをＣＣＤカメラのレンズ前方にセットするとともに上記平行用偏光フィルタを上記ＣＣＤカメラのレンズ前方から退避させる傷、ゴミ検出モードと、上記直交用偏光フィルタを上記ＣＣＤカメラのレンズ前方から退避させるとともに上記平行用偏光フィルタを上記ＣＣＤカメラのレンズ前方にセットする表示素子欠陥検出モードとのうちで、一方の検出モードを設定するモード設定段階と；
上記モード設定段階で上記傷、ゴミ検出モードを設定しているときに、上記ＣＣＤカメラから出力された信号に基づいて、上記液晶ディスプレイに付着している保護フィルムの表面における傷、ゴミ、または、上記フラット液晶ディスプレイの表面における傷、ゴミを検出する傷、ゴミ検出段階と；
上記モード設定段階で上記表示素子欠陥検出モードを設定しているときに、上記ＣＣＤカメラから出力された信号に基づいて、上記フラット液晶ディスプレイにおける表示素子自体の欠陥を検出する表示素子欠陥検出段階と；
を有することを特徴とするフラット液晶ディスプレイにおける表示素子の検査方法。
【発明の詳細な説明】
【０００１】
【発明の属する技術分野】
本発明は、液晶ディスプレイ、プラズマ液晶ディスプレイ等（以下、「液晶ディスプレイ」という）の表示画面の検査に係り、特に、上記表示画面の保護フィルムの傷やゴミが原因で発生する液晶ディスプレイ等の欠陥を抽出し、検査するフラット液晶ディスプレイにおける表示素子の検査装置および検査方法に関する。
【０００２】
【従来の技術】
液晶ディスプレイにおける表示素子を検査する方法として、ＣＣＤカメラを用い、ＣＣＤ素子の受光面に、上記表示素子の画素像を結ばせ、このようにして読み取った表示素子の画素像に基づいて、その表示素子を検査する方法が知られている。
【０００３】
つまり、移動ステージ上に搭載された液晶ディスプレイの表示素子と、その上方の所定の位置に配置されたＣＣＤカメラとの位置関係を、基準位置に設定し、上記基準位置で、各表示素子に対応する画素の光度を検出し、この検出された光度に基づいて、画像処理部が、対応する表示素子の良否を判断する。
【０００４】
ところで、液晶ディスプレイの表示画面を慎重に取扱うために、その表示画面を保護する手段として、液晶ディスプレイに保護フィルムを付着し、この保護フィルムの傷、または保護フィルムに付着したゴミによって、液晶ディスプレイの表示素子に欠陥があると誤判断されることがある。
【０００５】
この誤判断を阻止するには、上記表示素子の良否を検査する本来の検査に先立って、液晶ディスプレイの表面に付着させた保護フィルムの傷、または保護フィルムに付着したゴミを検出する。
【０００６】
図２は、従来のフラット液晶ディスプレイにおける表示素子の検査装置ＦＤＣ１１を示す図である。
【０００７】
従来のフラット液晶ディスプレイにおける表示素子の検査装置ＦＤＣ１１は、液晶ディスプレイ２０の表示素子を搭載する移動ステージの下面から、バックライト３０が、上記表示素子を透過光で照射し、上記移動ステージの側面上方から上記表示素子の表面を、照射ランプＬ１が照射し、バックライト３０と照射ランプＬ１とを、スイッチＳＷ１が切り替える。光源用電源ＰＳによって、ランプＬ１、バックライト３０が点灯する（たとえば、特許文献１参照）。
【０００８】
つまり、まず、フラット液晶ディスプレイ２０におけるバックライト３０の電源を、スイッチＳＷ１によって、切断するとともに、スイッチＳＷ１をランプＬ１に切り替えることによって、ランプＬ１が液晶ディスプレイ２０を照射し、これによって、フラット液晶ディスプレイ２０に付着されている保護フィルムの傷、ゴミを検出する。
【０００９】
従来のフラット液晶ディスプレイにおける表示素子の検査装置ＦＤＣ１１によれば、液晶ディスプレイ２０の表示素子におけるＴＦＴの欠陥を検査する本来的な検査の前に、フラット液晶ディスプレイ２０に付着されている保護フィルムの傷、ゴミを検出することによって、液晶ディスプレイ２０の合否における欠陥検出の誤認識を防止することができる。
【００１０】
図３は、別の従来例であるフラット液晶ディスプレイにおける表示素子の検査装置ＦＤＣ１２を示す図である。
【００１１】
従来のフラット液晶ディスプレイにおける表示素子の検査装置ＦＤＣ１２は、バックライト３０からの光を遮断する例であり、液晶ディスプレイ２０の透過光用光源としてのバックライト３０が設けられ、ランプＬ１は、液晶ディスプレイ２０の表面の欠陥を検出する専用の反射光源であり、スイッチＳＷ２は、バックライト３０とランプＬ１とを切り替えるスイッチであり、光源用電源ＰＳは、バックライト３０とランプＬ１とを駆動する電源であり、ＣＣＤカメラＣは、画像取り込み用カメラであり、画像処理部６２は、欠陥検出処理を行う。また、シャッタ制御部５０によって、メカニカルシャッタ５１が制御され、スイッチＳＷ２がランプＬ１側に切り替えられると、メカニカルシャッタ５１が、シャッタ閉状態５２の位置に移動し、バックライト３０から液晶ディスプレイ２０に向かう光が遮断される（たとえば、特許文献１参照）。
【００１２】
次に、従来のフラット液晶ディスプレイにおける表示素子の検査装置ＦＤＣ１２の動作について説明する。
【００１３】
まず、スイッチＳＷ２を、ランプＬ１側に切り替えると、ランプＬ１が点灯し、ランプＬ１が液晶ディスプレイ２０の表面に光を照射し、メカニカルシャッタ５１が、シャッタ閉状態５２の位置に移動し、バックライト３０から液晶ディスプレイ２０に向かう光が遮断される。そして、このときにおけるＣＣＤカメラＣが検出した画像に基づいて、フラット液晶ディスプレイ２０に付着されている保護フィルムの傷、ゴミを検出する。
【００１４】
次に、スイッチＳＷ２を、シャッタ制御部５０側に切り替えると、ランプＬ１が消灯し、メカニカルシャッタ５１が、バックライト３０と液晶ディスプレイ２０との間の領域から退避する。そして、このときにおけるＣＣＤカメラＣが検出した画像に基づいて、液晶ディスプレイ２０の表示素子におけるＴＦＴの欠陥を検査する本来的な検査が行われる。
【００１５】
【特許文献１】
特開平１１−３２６１２３号公報
【００１６】
【発明が解決しようとする課題】
従来のフラット液晶ディスプレイにおける表示素子の検査装置ＦＤＣ１１においては、スイッチＳＷ１によって、バックライト３０とランプＬ１とを切り替えて点灯し、ランプＬ１を点灯している間は、バックライト３０を消灯し、その後、液晶ディスプレイ２０の表示素子におけるＴＦＴの欠陥を検査する本来的な検査において、バックライト３０を点灯するためにバックライト３０をオンするが、このバックライト３０のオンからバックライト３０が安定するまでの初期安定化時間が必要であり、この初期安定化時間だけ、フラット液晶ディスプレイ２０の全体の検査時間が長くなるという問題がある。
【００１７】
一方、従来のフラット液晶ディスプレイにおける表示素子の検査装置ＦＤＣ１２においては、機械的シャッタを使用するので、検査設備が大掛かりになり、検査コストが高くなり、また、検査スペースを広く設定する必要が生じるという問題がある。
【００１８】
本発明は、フラット液晶ディスプレイに付着されている保護フィルムの傷、ゴミを検出する場合、フラット液晶ディスプレイの全体の検査時間が長くなることがなく、また、検査設備が大掛かりではなく、検査コストが高くならないフラットフラット液晶ディスプレイにおける表示素子の検査装置および検査方法を提供することを目的とするものである。
【００１９】
【課題を解決するための手段】
本発明は、バックライトで照射され、フラット液晶ディスプレイを通過した表示光を阻止し、上記表示光以外の光を通過させる直交用偏光フィルタを設け、上記表示光を通過させ、上記表示光以外の光を阻止する平行用偏光フィルタを設け、上記直交用偏光フィルタをＣＣＤカメラのレンズ前方にセットするとともに上記平行用偏光フィルタを上記ＣＣＤカメラのレンズ前方から退避させる傷、ゴミ検出モードと、上記直交用偏光フィルタを上記ＣＣＤカメラのレンズ前方から退避させるとともに上記平行用偏光フィルタを上記ＣＣＤカメラのレンズ前方にセットする表示素子欠陥検出モードとのうちで、一方の検出モードを設定するモード設定手段を設け、上記モード設定手段が上記傷、ゴミ検出モードを設定しているときに、上記ＣＣＤカメラから出力された信号に基づいて、上記液晶ディスプレイに付着している保護フィルムの表面における傷、ゴミ、または、上記フラット液晶ディスプレイの表面における傷、ゴミを検出する傷、ゴミ検出手段を設け、上記モード設定手段が上記表示素子欠陥検出モードを設定しているときに、上記ＣＣＤカメラから出力された信号に基づいて、上記フラット液晶ディスプレイにおける表示素子自体の欠陥を検出する表示素子欠陥検出手段を設けたフラット液晶ディスプレイにおける表示素子の検査装置である。
【００２０】
また、本発明は、バックライトで照射され、フラット液晶ディスプレイを通過した表示光を阻止し、上記表示光以外の光を通過させる直交用偏光フィルタと、上記表示光を通過させ、上記表示光以外の光を阻止する平行用偏光フィルタとを用いることによって、フラット液晶ディスプレイにおける表示素子を検査する方法であって、上記直交用偏光フィルタをＣＣＤカメラのレンズ前方にセットするとともに上記平行用偏光フィルタを上記ＣＣＤカメラのレンズ前方から退避させる傷、ゴミ検出モードと、上記直交用偏光フィルタを上記ＣＣＤカメラのレンズ前方から退避させるとともに上記平行用偏光フィルタを上記ＣＣＤカメラのレンズ前方にセットする表示素子欠陥検出モードとのうちで、一方の検出モードを設定するモード設定段階を設け、上記モード設定段階で上記傷、ゴミ検出モードを設定しているときに、上記ＣＣＤカメラから出力された信号に基づいて、上記液晶ディスプレイに付着している保護フィルムの表面における傷、ゴミ、または、上記フラット液晶ディスプレイの表面における傷、ゴミを検出する傷、ゴミ検出段階を設け、上記モード設定段階で上記表示素子欠陥検出モードを設定しているときに、上記ＣＣＤカメラから出力された信号に基づいて、上記フラット液晶ディスプレイにおける表示素子自体の欠陥を検出する表示素子欠陥検出段階を設けを有することを特徴とするフラット液晶ディスプレイにおける表示素子の検査方法である。
【００２１】
【発明の実施の形態および実施例】
図１は、本発明の一実施例である液晶ディスプレイにおける表示素子の検査装置ＦＤＣ１を示す図である。
【００２２】
表示素子の検査装置ＦＤＣ１は、ＣＣＤカメラＣ１と、画像処理部１０と、フラット液晶ディスプレイ２０と、バックライト３０と、直交用偏光フィルタＦ１と、平行用偏光フィルタＦ２とを有する。
【００２３】
直交用偏光フィルタＦ１は、バックライト３０で照射されフラット液晶ディスプレイ２０を通過した表示光を阻止し、上記表示光以外の光を通過させるフィルタである。
【００２４】
平行用偏光フィルタＦ２は、バックライト３０で照射されフラット液晶ディスプレイ２０を通過した表示光を通過させ、上記表示光以外の光を阻止するフィルタである。
【００２５】
ＣＣＤカメラＣ１には、モード設定手段が設けられている。このモード設定手段は、傷、ゴミ検出モードと、表示素子欠陥検出モードとのうちで、一方の検出モードを設定するモード設定手段である。
【００２６】
上記傷、ゴミ検出モードは、直交用偏光フィルタＦ１をＣＣＤカメラＣ１のレンズ前方にセットするとともに平行用偏光フィルタＦ２をＣＣＤカメラＣ１のレンズ前方から退避させるモードである。また、上記表示素子欠陥検出モードは、直交用偏光フィルタＦ１をＣＣＤカメラＣ１のレンズ前方から退避させるとともに平行用偏光フィルタＦ２をＣＣＤカメラＣ１のレンズ前方にセットするモードである。
【００２７】
また、画像処理部１０は、傷、ゴミ検出手段と、表示素子欠陥検出手段とが設けられている。
【００２８】
上記傷、ゴミ検出手段は、上記モード設定手段が上記傷、ゴミ検出モードを設定しているときに、ＣＣＤカメラＣ１から出力された信号に基づいて、液晶ディスプレイ２０に付着している保護フィルムの表面における傷、ゴミ、または、上記フラット液晶ディスプレイの表面における傷、ゴミを検出する傷、ゴミ検出手段である。
【００２９】
上記表示素子欠陥検出手段は、上記モード設定手段が上記表示素子欠陥検出モードを設定しているときに、ＣＣＤカメラＣ１から出力された信号に基づいて、上記フラット液晶ディスプレイにおける表示素子自体の欠陥を検出する表示素子欠陥検出手段である。
【００３０】
なお、上記実施例は、基本的には、移動ステージ上に搭載された液晶ディスプレイ２０における表示素子の上方の所定位置に、ＣＣＤカメラＣ１が配置され、ＣＣＤカメラＣ１に画像処理部１０が接続され、上記表示素子とＣＣＤカメラＣ１との位置関係が基準位置に設定され、上記基準位置に対応した関係位置で抽出した表示素子に対応する検出画素の検出光度に基づいて、表示素子の良否を検査する装置である。
【００３１】
次に、上記実施例の動作について説明する。
【００３２】
まず、傷、ゴミ検出モードを設定する。すなわち、直交用偏光フィルタＦ１をＣＣＤカメラＣ１のレンズ前方にセットするとともに平行用偏光フィルタＦ２をＣＣＤカメラＣ２のレンズ前方から退避させる。
【００３３】
そして、このときに、ＣＣＤカメラＣ１が、液晶ディスプレイ２０の画像を取り込む。この取り込まれた画像は、バックライト３０で照射され液晶ディスプレイ２０を通過した表示光による画像が排除され、上記表示光以外の光による画像である。つまり、上記取り込まれた画像は、液晶ディスプレイ２０の表面または保護フィルムに傷があれば、その傷で乱反射した光の画像であり、また、液晶ディスプレイ２０の表面または保護フィルムにゴミが付着していれば、そのゴミで乱反射した光の画像である。
【００３４】
したがって、上記取り込まれた画像のうちで、輝度が所定値以上高い部分は、乱反射の度合いが高く、液晶ディスプレイ２０の表面または保護フィルムに傷や、ゴミが存在していると判断することができ、よって、上記取り込まれた画像を、画像処理部１１が処理することによって、液晶ディスプレイ２０の表面の傷、ゴミまたは保護フィルムの傷、ゴミを検出することができる。
【００３５】
その後に、表示素子欠陥検出モードを設定する。すなわち、直交用偏光フィルタＦ１をＣＣＤカメラＣ１のレンズ前方から退避させるとともに平行用偏光フィルタＦ２をＣＣＤカメラＣ１のレンズ前方にセットする。
【００３６】
そして、このときに、ＣＣＤカメラＣ１が、液晶ディスプレイ２０の画像を取り込む。この取り込まれた画像は、バックライト３０で照射されフラット液晶ディスプレイ２０を通過した表示光の画像であり、表示光以外の光が阻止された画像である。つまり、上記取り込まれた画像は、バックライト３０で照射され液晶ディスプレイ２０の表示素子を通過した光のみの画像であり、したがって、液晶ディスプレイ２０の表示素子自体の欠陥を発見することができる。
【００３７】
なお、上記実施例を、方法の発明として把握することができる。
【００３８】
つまり、上記実施例は、バックライトで照射され、フラット液晶ディスプレイを通過した表示光を阻止し、上記表示光以外の光を通過させる直交用偏光フィルタと、上記表示光を通過させ、上記表示光以外の光を阻止する平行用偏光フィルタとを用いることによって、フラット液晶ディスプレイにおける表示素子を検査する方法であって、上記直交用偏光フィルタをＣＣＤカメラのレンズ前方にセットするとともに上記平行用偏光フィルタを上記ＣＣＤカメラのレンズ前方から退避させる傷、ゴミ検出モードと、上記直交用偏光フィルタを上記ＣＣＤカメラのレンズ前方から退避させるとともに上記平行用偏光フィルタを上記ＣＣＤカメラのレンズ前方にセットする表示素子欠陥検出モードとのうちで、一方の検出モードを設定するモード設定段階と、上記モード設定段階で上記傷、ゴミ検出モードを設定しているときに、上記ＣＣＤカメラから出力された信号に基づいて、上記液晶ディスプレイに付着している保護フィルムの表面における傷、ゴミ、または、上記フラット液晶ディスプレイの表面における傷、ゴミを検出する傷、ゴミ検出段階と、上記モード設定段階で上記表示素子欠陥検出モードを設定しているときに、上記ＣＣＤカメラから出力された信号に基づいて、上記フラット液晶ディスプレイにおける表示素子自体の欠陥を検出する表示素子欠陥検出段階とを有することを特徴とするフラット液晶ディスプレイにおける表示素子の検査方法の例である。
【００３９】
【発明の効果】
本発明によれば、液晶ディスプレイの表面の傷、ゴミまたは保護フィルムの傷、ゴミを検出する場合、液晶ディスプレイの全体の検査時間が長くなることがなく、また、検査設備が大掛かりではなく、検査コストが高くならないという効果を奏する。
【図面の簡単な説明】
【図１】本発明の第１の実施例である液晶ディスプレイにおける表示素子の検査装置ＦＤＣ１を示す図である。
【図２】従来のフラット液晶ディスプレイにおける表示素子の検査装置ＦＤＣ１１を示す図である。
【図３】別の従来のフラット液晶ディスプレイにおける表示素子の検査装置ＦＤＣ１２を示す図である。
【符号の説明】
ＦＤＣ１…液晶ディスプレイにおける表示素子の検査装置、
Ｃ１…ＣＣＤカメラ、
１０…画像処理部、
２０…フラット液晶ディスプレイ、
３０…バックライト、
Ｆ１…直交用偏光フィルタ、
Ｆ２…平行用偏光フィルタ。
【図１】
2004239674.tif 000003
【図２】
2004239674.tif 000004
【図３】
2004239674.tif 000005